(57)【特許請求の範囲】
【請求項１】
カード添付欄を備えたカード送付紙片と、写真添付欄を備えた写真添付紙片と、中央部にプリントする写真の領域を指定するための開口が設けられたシール本体を有する位置決めシールが添付されたシール添付紙片とが、それぞれ同一面にくるように折り線を介して連接され、前記折り線にて３つ折りされた構成からなることを特徴とする写真入りカード申込書。
【請求項２】
複写帳票からなる暗証番号届が切り離し可能に添付されていることを特徴とする請求項１記載の写真入りカード申込書。
【発明の詳細な説明】
【０００１】
【産業上の利用分野】
本発明はカード送付紙片が添付された、写真入りカード申込書に関する。
【０００２】
【従来の技術】
従来、本人の顔写真等をプリントしたカードの申込書としては、カード申込書に添付されている写真貼付紙片ないしは別体の写真貼付紙片に、本人の希望する写真を所定の大きさにカツトしてから、写真貼付紙片に貼着して提出する方式のカード申込書が使用されている。しかしながら、上記の方式のカード申込書の場合には、写真入りカードが完成して申込者に送付する際に、写真入りカードにプリントされた写真と申込者が申込み時に提出した写真とが一致していることを確認するために、写真入りカードと申込者が申込み時に提出した写真とをセツトにして保管する必要がありカードの発送業務に手間がかかるという欠点があつた。また、写真を所定の大きさにカツトして写真貼付紙片に貼着して送付するので、写真が再利用できなくなるという欠点があつた。
【０００３】
【発明が解決しようとする課題】
本発明の目的は、完成した写真入りカードの写真が本人のものと間違いがないかどうかの確認が容易である上に、添付した写真におけるカードにプリントする領域の指示が容易で且つ写真の再利用が可能な写真入りカード申込書を提供することである。
【０００４】
【課題を解決するための手段】
カード添付欄を備えたカード送付紙片と、写真添付欄を備えた写真添付紙片と、中央部にプリントする写真の領域を指定するための開口が設けられたシール本体を有する位置決めシールが添付されたシール添付紙片とが、それぞれ同一面にくるように折り線を介して連接され、前記折り線にて３つ折りされた構成からなることを特徴とする写真入りカード申込書である。
【０００５】
削除
【０００６】
複写帳票からなる暗証番号届が切り離し可能に添付されていることを特徴とする上記の写真入りカード申込書である。
【０００７】
【作用】
完成した写真入りカードを取付けるカード添付欄を備えたカード送付紙片と、カードにプリントする写真を添付する写真添付欄を備えた写真添付紙片と、写真のプリント領域を指示するための位置決めシールが添付されたシール添付紙片とが、それぞれ同一面にくるように折り線を介して連接された構成とすることにより、完成した写真入りカードをカード添付欄に取り付けた際に、カードにプリントされた写真が、申込者が提出した写真の指定された領域がプリントされているかどうかの確認が一瞥して行うことのできるので、カードの発送業務を極めて効率的に実施できる上に、写真をそのまま写真貼付け台紙に取り付けてプリントする領域を位置決めシールにより指定するので、写真をカツトする必要がなく写真の再利用が可能になる。
【０００８】
【実施例】
以下、図面を引用して本発明を説明する。
図１は本発明の写真入りカード申込書を示す図で、（イ）は展開した状態の平面図、（ロ）は（イ）におけるＩ−Ｉ断面図、図２は位置決めシールを示す図で、（イ）は位置決めシールからシール本体を剥離した状態の断面図、（ロ）はシール本体の平面図、図３は本発明の写真入りカード申込書に写真を取付け、位置決めシールからシール本体を剥離して写真に貼着しプリント領域を指定した状態を示す平面図であつて、１はカード送付紙片、２は写真添付紙片、３はシール添付紙片、４はカード添付欄、５は写真添付欄、６は位置決めシール、6'はシール本体、７は取扱い説明欄、8a, 8bは折り線、９は切欠、10は切目、11は写真、12は開口、13はシール基材、14は粘着剤、15は剥離紙をそれぞれ表す。
【０００９】
本発明の写真入りカード申込書は図１（イ）に示すように、完成した写真入りカードを取り付けるカード添付欄４を備えたカード送付紙片１と、カードにプリントする写真を添付する写真添付欄５を備えた写真添付紙片２と、位置決めシール６が添付されその取扱い説明欄７が設けられたシール添付紙片３とが、それぞれ同一面にくるように折り線8a, 8bを介して連接された平面形状からなり、折り線8a, 8bにて３つ折りして使用される。上記の写真入りカード申込書において、カード送付紙片１と写真添付紙片２とシール添付紙片３の裏面の利用方法は任意であり、白紙の状態としておいてもよく、また連絡事項等を印刷しておいてもよい。カード送付紙片１と写真貼付紙片２とシール添付紙片３のそれぞれの表面が同一面になるように配置しておくことが必要である。
【００１０】
カード送付紙片１は完成した写真入りカードを申込者に送付する際に使用する紙片であり、上部には申込者の住所、氏名等のプリント欄が設けられ、下部にはカードの相対する対角線上の２か所の角部を挿入して取り付けるための切欠９が形成されている。写真添付紙片２には写真の相対する対角線上の２か所の角部を挿入して固定できるように、各種サイズの写真に適応した位置に切目10が形成されると共に、申込者の氏名の記入欄が設けられている。シール添付紙片３には、その上部に位置決めシール６の使用方法を説明する取扱い説明欄７が設けられ、下部には写真のプリント領域を指示するための位置決めシール６が貼着されている。カード送付紙片１の下部のカード添付欄４の構成を、上記のようにカードの対角線上の２か所の角部を挿入して取り付けるための切欠９を形成するのではなく、透明フイルムを使用して袋状に形成し、カードを挿入できるようにしてもよい。
【００１１】
図１（ロ）に示すように、位置決めシール６はその上端に沿つてシール添付紙片３の表面に貼着されている。位置決めシール６の構成は、シール基材13と粘着剤14と剥離紙15の積層体からなり、シール基材13側から剥離紙15に達するハーフカツトを施されて、図２（イ）に示すように、中央部に写真のプリント領域を指示するための開口12が形成されたシール本体6'が剥離できるように構成されている。シール本体6'を剥離して取り去った後の位置決めシール６は、剥離紙15の中央部に開口12に対応した積層体が残った状態となる。図２（ロ）に示すように、シール本体6'は下部に名前記入欄を備え、その中央部に写真のプリント領域を指示するための開口12が形成され且つ開口12の周辺は暗色に着色されている。このシール本体6'を写真の表面に貼着することで、写真の開口12から露出した領域をカードにプリントすることを指示する。
【００１２】
本発明の写真入りカード申込書の使用方法は、申込者が写真入りカード申込書を銀行の窓口等にて入手し、写真添付紙片２の写真添付欄５に申込者の希望する写真11を、写真11の対角線上の２か所の角部を対応する切目10に挿入して取り付けた後、位置決めシール６からシール本体6'を剥離して、写真11のカードにプリントしたい領域が、シール本体6'の中央部に設けられている開口12から露出するように位置決めして貼着する。その後、そのままかないしはシール添付紙片３を折り線8bにて切り取ってから、折り線8a，8bにて折り畳み窓口に提出して写真入りカードの申込みを行う。
【００１３】
キヤツシユカード等の場合には、暗証番号届を提出する必要があるために、暗証番号届用の複写帳票を、カード送付紙片１の上端縁にて分離可能に接着した構成の写真入りカード申込書を使用して、暗証番号届に暗証番号およびその他の所定事項を記入して申し込みを行う。
【００１４】
写真入りカード申込書を受け付けた銀行等においては、写真入りカード申込書に貼着された写真11の、シール本体6'を貼着することにより指示された領域を画像読込み装置により読み込むと共に、所定の文字データを入力して、データ出力プリントするデータをレイアウトして、カードプリンターにより生カードの表面に、写真の指定領域を昇華転写プリント方式にてプリントして写真入りカードを作製する。
【００１５】
本人の写真入りカード申込書の、本人の写真が添付された写真添付紙片２と連接されたカード送付紙片１の上部に、送付先の郵便番号，住所，氏名等をプリントした後、カード送付紙片１の下部に設けられたカード添付欄４に、完成した写真入りカードをカード添付欄４に形成されている切欠９にカードの角部を挿入して添付する。その後、写真添付紙片２に添付され、且つ位置決めシール６のシール本体6'を貼着することにより指示された写真11の領域が、カードにプリントされている写真と一致していることを確認してから、折り線8a,8b にて折り畳みそのまま発送する。そうすることにより、申込者が添付した写真11を返却することができる。申込者が添付した写真11を返却しない場合には、カード送付時に、写真入りカード申込書のカード送付紙片１のみを切り離して送付すればよい。
【００１６】
本発明の写真入りカード申込書を使用することにより、写真入りカードの申込みを受け付けた銀行等において、完成した写真入りカードを申込者に送付する際に、写真入りカード申込書のカード送付紙片１に写真入りカードを取り付け、その時点で写真11が所定どおりにプリントされているかの確認がきわめて容易に行うことが可能であるので、写真入りカードの送付業務を従来の申込書を使用する場合と比較してより効率的に実施することができる。
【００１７】
【発明の効果】
完成した写真入りカードを取り付けて申込者に送付するためのカード送付紙片と、写真が貼付される写真貼付紙片と、位置決めシールが添付され取扱い説明が記載されたシール添付紙片とが、それぞれ同一面にくるように折り線を介して連接され、折り線にて３つ折りされる構成からなる写真入りカード申込書とすることにより、写真貼付紙片に写真が貼付され且つその上に中央に開口を有する位置決め用のシール本体を貼着してカードにプリントしたい写真の領域を指示した状態で申込みされるので、位置指定された写真の領域をカードにプリントして写真入りカードを作製した後、カード送付紙片のカード添付欄に写真入りカードを取り付けた状態で、申込者が指示した写真が間違いなくプリントされているかどうかを容易に確認することができ、確認後そのままの状態でカードを送付することができるので、カード送付業務が合理化できる。
【図面の簡単な説明】
【図１】本発明の写真入りカード申込書を示す図で、（イ）は展開した状態の平面図、（ロ）は（イ）におけるＩ−Ｉ断面図。
【図２】位置決めシールを示す図で、（イ）は位置決めシールからシール本体を剥離した状態の断面図、（ロ）はシール本体の平面図。
【図３】本発明の写真入りカード申込書に写真を取付け、位置決めシールからシール本体を剥離して写真に貼着しプリント領域を指定した状態を示す平面図。
【符号の説明】
１  カード送付紙片
２  写真添付紙片
３  シール添付紙片
４  カード添付欄
５  写真添付欄
６  位置決めシール
6'  シール本体
７  取扱い説明欄
8a, 8b  折り線
９  切欠
10  切目
11  写真
12  開口
13  シール基材
14  粘着剤
15  剥離紙
【図１】
0003667386.tif 000002
【図２】
0003667386.tif 000003
【図３】
0003667386.tif 000004